(57)【要約】【課題】ネットワークを経由した動画伝送では、１フレーム分のデータはネットワークの最大パケットサイズよりも大きくなることがしばしばある。このとき、送信器は、動画データを通信可能なサイズに分割した上で、送信しなければならない。さまざまな分割方法に対応しなければならず、ソフトウエーアや回路の規模が大きくなってしまう。【解決手段】送信器１００と受信器２００に各々送信器分割制御部１０２と受信器分割制御部２０２を設ける。動画データを送信する前に、送信器分割制御部１０２と受信器分割制御部２０２は、動画データ分割方法をあらかじめ交渉し、動画データの分割方法を取り決めておく。【選択図】  図１
2004282584.tif 000002
【特許請求の範囲】
【請求項１】
動画データを生成し送信する送信器と、動画データを受信し再生や蓄積を行う受信器とがネットワークを介して接続されているネットワークを経由した動画データ送受信システムにおいて、
前記送信器は、動画データストリームを生成する送信器動画データ処理手段と、
前記送信器が対応可能な前記動画データストリームの分割方法を示す分割方法情報を生成し、前記受信器に前記分割方法情報を送信することで、前記受信器と前記分割方法の交渉を行う送信器分割制御手段と、
前記送信器分割制御手段が交渉した分割方法に従って、前記送信器動画データ処理手段が生成した前記動画データストリームを分割し、動画パケットを生成する分割手段と、
前記分割手段が生成した前記動画パケットを前記受信器に送信する送信器動画データ送信手段と、
前記送信器分割制御手段と前記受信器間における前記分割方法情報の送受信を制御する送信器制御データ通信手段と、
前記送信器動画データ送信手段が送信した前記動画パケットと前記送信器制御データ通信手段が送信する前記分割方法情報を前記ネットワークに送信し、前記ネットワークから受信した前記分割制御情報を、前記送信器制御データ通信手段に送信する送信器ネットワーク通信手段とを備え、
前記受信器は、前記受信器が対応可能な前記動画データストリームの分割方法を示す分割方法情報を生成し、前記送信器分割制御手段と分割方法を交渉する受信器分割制御手段と、
前記動画データストリームを再生あるいは蓄積する受信器動画データ処理手段と、
前記動画パケットを受信し、前記受信器分割制御手段から受信した分割情報に従って動画パケットの再構成を行い、前記受信器動画データ処理手段に動画データストリームを送信する再構成部と、
動画パケットを受信し、前記再構成部に送信する受信器動画データ受信部と、
前記送信器と制御情報を送受信する受信器制御データ通信部と、
前記ネットワークから受信したデータを、動画データか制御データかを識別し、動画データの場合には、当該データを前記受信器動画データ受信部に送信し、制御データの場合には当該データを前記受信器制御データ通信部に送信し、前記受信器制御データ通信部からの制御情報を受信し、前記ネットワークに送信する受信器ネットワーク通信部とを具備することを特徴とするネットワークを経由した動画データ通信システム。
【請求項２】
送信器に送信器ネットワーク通信手段から送られてくるネットワークの通信品質情報を監視する送信器品質監視手段、受信器に受信器ネットワーク通信手段から送られてくるネットワークの通信品質情報を監視する受信器品質監視手段をさらに備え、前記送信器品質監視手段と前記受信器品質監視手段は、前記ネットワークの通信品質に応じて、それぞれ送信器分割制御手段、受信器分割制御手段に分割情報を再交渉させることを特徴とする請求項１記載の動画データ通信システム。
【請求項３】
ネットワークが、近距離無線通信規格のＢｌｕｅｔｏｏｔｈ（ブルートゥース）であることを特徴とする請求項１または請求項２記載の動画データ通信システム。
【請求項４】
ネットワークが、インターネットであることを特徴とする請求項１または請求項２記載の動画データ通信システム。
【発明の詳細な説明】
【０００１】
【発明の属する技術分野】
本発明は、動画データを無線ネットワークや、インターネット等のネットワークを介して伝送する動画データ通信システムに関する。
【０００２】
【従来の技術】
無線ネットワークやインターネットの普及に伴い、これらのネットワークを介した動画データの通信の需要が高まっている。これらネットワークを介して動画データの通信を行うには、ネットワークで行われているパケット通信の上に動画データをのせて伝送する。このとき、パケットの大きさの上限はネットワークによって決まっており、動画データなどの情報量の多いデータは、１つのパケットに動画データ１ピクチャ分のデータを入れて送ることが出来ず、１ピクチャ分のデータを複数のパケットに分割してネットワークに送信する必要がある。このパケット化の方法は、例えばインターネット標準のＲＦＣ（Ｒｅｑｕｅｓｔ  ｆｏｒ  Ｃｏｍｍｅｎｔｓ）で規定されている。ＩＴＵ−Ｔ勧告のＨ．２６３動画像符号化データのパケット化方法は、ＲＦＣ２１９０やＲＦＣ２４２９において規定され、ＩＳＯから発行されているＭＰＥＧ（Ｍｏｔｉｏｎ  Ｐｉｃｔｕｒｅ  Ｅｘｐｅｒｔ  Ｇｒｏｕｐ）−４動画像符号化データのパケット化方法は、ＲＦＣ３０１６で規定されている。これらは、インターネットで規定されているストリーミングデータの伝送プロトコルＲＴＰ（Ｒｅａｌ−ｔｉｍｅ  Ｔｒａｎｓｐｏｒｔ  Ｐｒｏｔｏｃｏｌ）を利用してパケット化を行っており、ＲＦＣ２１９０、ＲＦＣ２４２９、ＲＦＣ３０１６にはそれぞれＲＴＰを用いたパケット化の方法が示されている。エーラー耐性を向上させるために、スライスと呼ばれる動画データの一塊の大きさを決定する方法が考案されている（例えば、特許文献１参照）。
【０００３】
【特許文献１】
特開２０００−２２４５８４号公報
【０００４】
【発明が解決しようとする課題】
従来の動画伝送システムにおいては、動画データ送信器と受信器の両方が、ＲＦＣに記載されているすべての分割方法に対応しなければならなかった。そのため、送信器および受信器のソフトウエーアや回路の規模が大きくなるという問題があつた。
【０００５】
本発明の目的は、動画像の分割方法を事前に送信器と受信器でネゴシエーシヨンすることで、すべての分割方法に対応せずとも良く、その結果ソフトウエーアや回路の規模を最小限で構成できるようにすることにある。
【０００６】
【課題を解決するための手段】
上記課題を解決するために、本発明の請求項１記載の発明は、動画データを生成し送信する送信器と、動画データを受信し再生や蓄積を行う受信器とがネットワークを介して接続されている動画データ送受信システムにおいて、
前記送信器は、
動画データストリームを生成し送信する送信器動画データ処理部と、
前記受信器と分割方法を交渉する送信器分割制御部と、
前記送信器分割制御部から受信した分割情報にしたがって、前記送信器動画データ処理部から受信した動画データストリームを分割し、パケット化した動画データを送信する分割部と、
前記分割部から受信した動画パケットを前記受信器に送信する送信器動画データ送信部と、
前記送信器分割制御部から送受信した制御情報を前記受信器と送受信する送信器制御データ通信部と、
前記送信器動画データ送信部から動画データを受信し、前記送信器制御データ通信部から制御情報を受信してこれらをネットワークに送信し、前記ネットワークから受信した制御データを前記送信器制御データ通信部に送信する送信器ネットワーク通信部を具備することを特徴とし、
前記受信器は、動画データストリームを受信する受信器動画データ処理部と、
前記送信器分割制御部と分割方法を交渉する受信器分割制御部と、
動画パケットを受信し、前記受信器分割制御部から受信した分割情報にしたがって動画パケットの再構成を行い、前記受信器動画データ処理部に動画データストリームを送信する再構成部と、
動画パケットを受信し、前記再構成部に送信する受信器動画データ受信部と、
前記送信器と制御情報を送受信する受信器制御データ通信部と、
前記ネットワークから受信したデータを、動画データか制御データかを識別し、動画データの場合には、当該データを前記受信器動画データ受信部に送信し、制御データの場合には当該データを前記受信器制御データ通信部に送信し、前記受信器制御データ通信部からの制御情報を受信し、前記ネットワークに送信する受信器ネットワーク通信部とを具備することを特徴とする。
【０００７】
請求項２記載の発明は、請求項１に記載の動画データ通信システムにおいて、
さらに送信器にはネットワークの通信状態を監視する送信器品質監視部、受信器には同じく受信器品質監視部を設け、ネットワークの通信品質に応じて適応的に分割情報を再交渉することを特徴とする。
【０００８】
【発明の実施の形態】
以下、本発明の実施の形態について、図１から図１２を用いて説明する。
【０００９】
（実施の形態１）
図１は本実施の形態におけるネットワークを経由した動画データ通信システムの実施の形態１に係る動画通信システムの構成を示すブロック図である。
【００１０】
図１において、１００はネットワークを介して動画データを送信する送信器、１０１は動画データを生成、あるいは他の内部ブロックから入力する送信器動画データ処理部、１０２は分割方法情報を生成する送信器分割制御部、１０３は送信器分割制御部１０２から送信された分割方法情報にしたがって、動画データを分割する分割部、１０４は分割化された動画データを送信器ネットワーク通信部１０６に送信する送信器動画データ送信部、１０５は送信器分割制御部１０２が送信する制御情報もしくはその他の制御情報を受信器２００と送受信するために設けられた送信器制御データ通信部、１０６は送信器動画データ送信部１０４と送信器制御データ通信部１０５から送信されたデータそれぞれに動画データ論理チャネル識別ＩＤあるいは制御データ論理チャネル識別ＩＤを付加してネットワークに送信し、ネットワークから受信したデータを付加された論理チャネル識別ＩＤを基に制御データの場合には送信器制御データ通信部１０５に送信する送信器ネットワーク通信部である。
【００１１】
また、２００はネットワークを介して動画データを受信する受信器、２０１は受信した動画データを再生、あるいは、蓄積する受信器動画データ処理部、２０２は送信器と動画データの分割方法を事前に交渉するための受信器分割制御部、２０３は分割情報にしたがって、分割化された受信動画データを再構築する再構成部、２０４は動画データを受信する受信器動画データ受信部、２０５は送信器１００と分割情報やその他の制御情報を送受信する受信器制御データ通信部、２０６はネットワークから受信したデータを付加された論理チャネル識別ＩＤを基に制御データの場合には受信器制御データ通信部２０５に、動画データの場合には受信器動画データ受信部２０４にそれぞれデータを送信し、受信器制御データ通信部２０５から受信した制御データに制御データ識別ＩＤを付加してネットワークに送信する受信器ネットワーク通信部である。
【００１２】
以上のように構成されたネットワークを経由した動画データ通信システムについて、以下、その動作を述べる。いま、送信器ネットワーク通信部１０６と受信器ネットワーク通信部２０６はネットワークを介して通信可能状態になっており、送信器制御データ通信部１０５と受信器制御データ通信部２０５との間と、送信器動画データ送信部１０４と受信器動画データ受信部２０４との間で論理チャネルが確立されているものとする。それぞれの論理チャネルは論理チャネル識別ＩＤを持っている。ネットワークを流れるデータには論理チャネル識別ＩＤが付加されており、これを用いてデータがどちらの論理チャネルを流れるものか識別可能である。この論理チャネル識別ＩＤを付加、切り離しを行うのは、送信器側では送信器ネットワーク通信部１０６、受信器側では受信器ネットワーク通信部２０６である。
【００１３】
いま、送信器１００から受信器２００に向かって、Ｈ．２６３規格準拠の動画データをＲＴＰパケット化して送信することとする。ＲＴＰパケット化の方法は、インターネット標準のＲＦＣ２４２９に記されている方法を用いることとする。実際に動画データを送信する前に、まず、送信器分割制御部１０２は、受信器分割制御部２０２に対して、分割方法の交渉を行う。分割情報は制御データとして、送信器制御データ通信部１０５と受信器制御データ通信部２０５によって確立されている論理チャネルを用いて伝送する。この場合、分割方法は図３に示す４つの方法がある。
【００１４】
この分割方法の具体的な分割方法を図４から図７に示す。図４は、図３のＮｏ．１に対応した分割方法を示し、データをピクチャ単位で分割し、１ピクチャで１パケットを構成する。図５はＮｏ．２に対応した分割方法を示し、データをＧＯＢ（Ｇｒｏｕｐ  Ｏｆ  Ｐｉｃｔｕｒｅ）単位で分割し、１ＧＯＢで１パケットを構成する。図６はＮｏ．３に対応した分割方法を示し、データをマクロブロック（ＭＢ）単位に分割し、１マクロブロックで１パケットを構成する。図７はＮｏ．４に対応した分割方法を示し、データをマクロブロックの途中で分割し、分割されたデータがそれぞれ１パケットを構成する。
【００１５】
送信器分割制御部１０２は、この４つの分割方法のうち、自分がどの分割方法に対応しているかを示す分割情報を受信器分割制御部２０２に送信する。この様子を図８に示す。図８に示すように、この場合、送信器分割制御部１０２は、送信器１００がＮｏ．３、Ｎｏ．４の分割方法に対応していることを示す分割情報を送信する。この分割情報を受信した受信器分割制御部２０２は、送信器１００が対応している分割方法のうち、自身が対応している分割情報を送信器分割制御部１０２に返信する。この様子を図９に示す。図９に示すように、この場合、受信器２００はＮｏ．３、Ｎｏ．４の分割方法のうち、Ｎｏ．４の分割方法でデータを送受信することを示す分割情報を返信する。送信器分割制御部１０２は受信器２００から受信した分割情報を基に分割部１０３に対して分割方法を指示する。この分割情報を用いて、送信器１００の分割部１０３は受信器２００が対応している分割方法を用いることが可能となる。
【００１６】
受信器分割制御部２０２は、再構成部２０３に対して、送信器１００に送信した分割方法を指示しておく。このことにより、受信器２００は所望の分割方法のみで再構成を行うことができるようになる。分割方法の事前のネゴシエーションが終了すると、送信器動画データ処理部１０１は分割部１０３に動画データを送信開始する。分割部１０３は、送信器分割制御部１０２から指示された分割方法を用いて、動画データを分割化する。さらに分割部１０３は、分割化された動画データにＲＦＣ２４２９に記されているＲＴＰペイロードヘッダを付加し、送信器動画データ送信部１０４にデータを送信する。送信器動画データ送信部１０４は、送られてきた動画データにＲＴＰヘッダを付加し、ＲＴＰパケット化する。この後、送信器動画データ送信部１０４は、受信器動画データ受信部２０４との間で確立された論理チャネルを通じて受信器２００側にＲＴＰパケットを伝送する。
【００１７】
受信器２００側では、受信器動画データ受信部２０４がＲＴＰパケット化された動画データを受信する。受信器動画データ受信部２０４は、ＲＴＰヘッダを解き、ＲＴＰペイロードヘッダ以下の動画パケットを再構成部２０３に送信する。再構成部２０３は受信器分割制御部２０２から指示されている分割方法に基づいてＲＴＰペイロードヘッダ以下の動画パケットの分割化を解除し、ピクチャ単位の動画データに再構成した後、受信器動画データ処理部２０１に動画データを送信する。受信器動画データ処理部２０１は、受信した動画データをピクチャ単位で処理することが可能となり、動画データを再生することができる。
【００１８】
以上のように、本実施の形態１によるネットワークを経由した動画データ通信システムでは、動画の通信前に、動画データの分割方法を送信器と受信器でネゴシエーションを行うことにより、送信器および受信器は特定の分割方法だけで通信ができる。このことにより、ソフトウエーアの規模や回路規模を小さくすることが可能となる。
【００１９】
（実施の形態２）
図２は本実施の形態におけるネットワークを経由した動画データ通信システムの構成を示すブロック図である。
【００２０】
図２において、実施の形態１の動画データ通信システムと同様に機能するものについては、同一の符号を付し、説明を省略する。図２において、１０７は送信器ネットワーク通信部１０６から送られてくるネットワークの通信品質情報を監視する送信器品質監視部、２０７は受信器ネットワーク通信部から送られてくるネットワークの通信品質情報を監視する受信器品質監視部である。
【００２１】
以上のように構成されたネットワークを経由した動画データ通信システムについて、以下、その動作を述べる。実施の形態１では、送信器１００が動画データを送信する前に分割情報を交渉していたが、本実施の形態では、動画データを送信中でも分割情報を交渉してもよいこととする。
【００２２】
動画パケットを伝送中に、例えばネットワークが輻輳していたり、ネットワークが無線ネットワークであって伝送品質が変化したりした場合には、送信器１００側の場合には送信器品質監視部１０７が送信器分割制御部１０２に分割方法を変更するように指示し、送信器分割制御部１０２はもう一度受信器２００と分割方法を交渉する。同じようにして受信器２００側も受信器品質監視部２０７が受信器分割制御部２０２に分割方法を変更するように指示し、その結果受信器分割制御部２０２は分割方法を交渉することができる。この場合には、受信器分割制御部２０２は、あらかじめ送信器１００から送信された分割情報の中から適切な分割方法を選ぶこととする。例えば、送信器側の分割方法がＮｏ．３とＮｏ．４に対応している場合、一度に消失するパケットのサイズを少なくするために、受信器分割制御部２０２は、分割方法をＮｏ．３から分割単位の小さいＮｏ．４へと変更する交渉を送信器１００に対して行う。そうすることにより、動画データの伝送の効率を上げることができる。
【００２３】
以上のように、本実施の形態２によるネットワークを経由した動画データ通信システムでは、動画の通信中も通信品質や輻輳などを感知して動画データの分割方法を送信器と受信器でネゴシエーションを行うことにより、送信器および受信器は通信状態に適した分割方法を選択することが出来る。このことにより、通信状態が悪い場合や輻輳が発生している場合でも効率良く動画通信を行うことができる。
【００２４】
なお、本発明の実施の形態１および実施の形態２では、ネットワークがインターネットの場合に関して説明したが、これに限定するものではなく、Ｂｌｕｅｔｏｏｔｈなどを用いてもよい。
【００２５】
また、本発明の実施の形態１および実施の形態２では、分割方法として４つの分割方法を説明したが、これらの分割方法に限定するものではない。
【００２６】
また、動画データとしてＨ．２６３規格準拠の動画データを例にとって、説明したが、これに限定するものではなく、例えば、ＭＰＥＧ準拠の動画データなどでもよい。
【００２７】
（実施の形態３）
図１０は本実施の形態におけるネットワークを経由した動画データ通信システム構成を示すブロック図である。
【００２８】
図１０において、実施の形態１の動画データ通信システムと同様に機能するものについては、同一の符号を付し、説明を省略する。図１０において、１１０は送信器制御部、１１１，２１１はＢｌｕｅｔｏｏｔｈ  ＡＶＤＴＰ（ＡｕｄｉｏＶｉｄｅｏ  Ｄｉｓｔｒｉｂｕｔｉｏｎ  Ｔｒａｎｓｐｏｒｔ  Ｐｒｏｔｏｃｏｌ）で規格化されているＡＶＤＴＰ  Ｓｔｒｅａｍ  Ｍａｎａｇｅｒで、ＡＶＤＴＰ  Ｓｔｒｅａｍ  Ｍａｎａｇｅｒ１１１とＡＶＤＴＰ  Ｓｔｒｅａｍ  Ｍａｎａｇｅｒ２１１で論理チャネルを確立する。１１２，２１２はＡＶＤＴＰ  Ｓｉｇｎａｌｌｉｎｇエーンティティで、ＡＶＤＴＰ  Ｓｉｇｎａｌｌｉｎｇエーンティティ１１２とＡＶＤＴＰ  Ｓｕｇｎａｌｌｉｎｇエーンティティ２１２で論理チャネルを確立する。１１３，２１３はＬ２ＣＡＰ（Ｌｏｇｉｃａｌ  Ｌｉｎｋ  Ｃｏｎｔｒｏｌ  ａｎｄ  Ａｄａｐｔａｔｉｏｎ  Ｐｒｏｔｏｃｏｌ）部であり、論理チャネル毎にパケット振り分けなどを行う部分である。
【００２９】
以上のように構成されたネットワークを経由した動画データ通信システムについて、以下、その動作を述べる。本実施の形態では、ネットワークは近距離無線通信規格のＢｌｕｅｔｏｏｔｈ（ブルートゥース）である。このときの送信器制御部１１０と受信器制御部２１０の処理の流れをそれぞれ図１１と図１２に示す。
【００３０】
まず始めに、送信器１００と受信器２００の両方で通信前に動画データの分割方法を初期化しておく（図１１のステップ１１０１、図１２のステップ１２０１）。次に、Ｂｌｕｅｔｏｏｔｈで通信を始める。まず送信器１００と受信器２００で物理接続、すなわちＡＣＬ（Ａｓｙｎｃｈｒｏｎｏｕｓ  Ｃｏｎｎｅｃｔｉｏｎｌｅｓｓ  Ｌｉｎｋ）リンクを確立する（図１１のステップ１１０２、図１２のステップ１２０２）。物理接続された（ＡＣＬリンク接続された）送信器１００と受信器２００は、その次に、Ｂｌｕｅｔｏｏｔｈ  ＧＡＶＤＰ（Ｇｅｎｅｒｉｃ  Ａｕｄｉｏ  Ｖｉｄｅｏ  Ｄｉｓｔｒｉｂｕｔｉｏｎ  Ｐｒｏｆｉｌｅ）規格で規定されるように、ＡＶＤＴＰ  Ｓｉｇｎａｌｌｉｎｇエーンティティ同士を論理接続する（図１１のステップ１１０３、図１２のステップ１２０３）。本論理接続によって、送信器制御部１１０と受信器制御部２１０はＡＶＤＴＰＳｉｇｎａｌｌｉｎｇ部を介して通信を行うことが可能となる。この状態で、送信器制御部１１０と受信器制御部２１０は制御情報を送受信し、動画データの送受信の用意を行う（図１１のステップ１１０４、図１２のステップ１２０４）。次に、同じくＧＡＶＤＰ規格で規定されるように、ＡＶＤＴＰ  ＳｔｒｅａｍＭａｎａｇｅｒ同士を論理接続する（図１１のステップ１１０５、図１２のステップ１２０５）。本論理接続を用いて、送信器１００と受信器２００で動画データの送受信が可能となる。本論理接続の際、１パケットの最大サイズが交渉されているので、この最大サイズを基に分割情報の交渉を行う。すなわち、送信器１００はＡＶＤＴＰを拡張したコマンドであるＳｅｔ  Ｆｒａｇｍｅｎｔ  Ｃｏｎｆｉｇｕｒａｔｉｏｎなるコマンドを送信し、その中に自身が対応している分割情報をいれておく（図１１の１１０６）。受信器２００はＳｅｔ  Ｆｒａｇｍｅｎｔ  Ｃｏｎｆｉｇｕｒａｔｉｏｎコマンドを受信し、送信器１００が対応している分割方法を知る（図１２のステップ１２０６）。その後、受信器２００はＳｅｔ  Ｆｒａｇｍｅｎｔ  Ｃｏｎｆｉｇｕｒａｔｉｏｎレスポンスを送信する（図１２のステップ１２０７）。受信器２００が送信するＳｅｔ  Ｆｒａｇｍｅｎｔ  Ｃｏｎｆｉｇｕｒａｔｉｏｎレスポンスには、送信器１００が対応している分割情報のうち、受信器２００も同時に対応している分割方法を分割情報として入れておく。そうしたのち、送信器１００はＳｅｔ  Ｆｒａｇｍｅｎｔ  Ｃｏｎｆｉｇｕｒａｔｉｏｎレスポンスを受信し、送信器１００の分割部１０３が使用すべき分割方法を知ることが出来る（図１１のステップ１１０７）。その後、送信器１００は動画データを送信開始する（図１１の１１０８）。送信器１００の分割部１０３は、受信器２００から受信した分割情報にしたがって、動画データの分割を行う。受信器２００は動画データの受信を開始し（図１２のステップ１２０８）、再構成部２０３は、交渉結果の分割方法にしたがって動画データの再構成を行い、１ピクチャ毎のデータにする。
【００３１】
なお、本実施の形態では、分割情報を交渉する方法として、Ｓｅｔ  Ｆｒａｇｍｅｎｔ  Ｃｏｎｆｉｇｕｒａｔｉｏｎコマンドを用いたが、これに限定するものではなく、Ｂｌｕｅｔｏｏｔｈ  ＡＶＤＴＰ規格のＳｅｔ  Ｃｏｎｆｉｇｕｒａｔｉｏｎコマンドに分割情報を重畳するとしてもよい。
【００３２】
【発明の効果】
本発明により、簡単に特定の分割方法だけを使用して動画データを送受信することが可能となり、送信器または受信器のソフトウエーアもしくは回路規模の拡大を抑えることができ、コスト削減が期待できる。
【００３３】
また、本発明により、ネットワークの通信状態が悪い場合や輻輳が発生している場合にも動画データの分割方法を適宜変化させることにより、効率良く動画データの通信を行うことが出来る。
【図面の簡単な説明】
【図１】本発明の実施の形態１における通信ネットワークを経由した動画データ通信システムの構成を示すブロック図
【図２】本発明の実施の形態２における通信ネットワークを経由した動画データ通信システムの構成を示すブロック図
【図３】分割方法の一覧を示す表を示す図
【図４】図３に示すＮｏ．１の分割方法を説明する図
【図５】図３に示すＮｏ．２の分割方法を説明する図
【図６】図３に示すＮｏ．３の分割方法を説明する図
【図７】図３に示すＮｏ．４に分割方法を説明する図
【図８】分割情報を送信器から受信器へ送信することを示す図
【図９】分割情報を受信器から送信器へ返信することを示す図
【図１０】本発明の実施の形態３における通信ネットワークを経由した動画データ通信システムの構成を示すブロック図
【図１１】同送信器制御部における処理フローを表す図
【図１２】同受信器制御部における処理フローを表す図
【符号の説明】
１００  送信器
１０１  送信器動画データ処理部
１０２  送信器分割制御部
１０３  分割部
１０４  送信器動画データ送信部
１０５  送信器制御データ通信部
１０６  送信器ネットワーク通信部
１０７  送信器品質監視部
１１０  送信器制御部
１１１  ＡＶＤＴＰ  Ｓｔｒｅａｍ  Ｍａｎａｇｅｒ
１１２  ＡＶＤＴＰ  Ｓｉｇｎａｌｌｉｎｇ  エーンティティ
１１３  Ｌ２ＣＡＰ部
２００  受信器
２０１  受信器動画データ処理部
２０２  受信器分割制御部
２０３  再構成部
２０４  受信器動画データ受信部
２０５  受信器制御データ通信部
２０６  受信器ネットワーク通信部
２０７  受信器品質監視部
２１０  受信器制御部
２１１  ＡＶＤＴＰ  Ｓｔｒｅａｍ  Ｍａｎａｇｅｒ
２１２  ＡＶＤＴＰ  Ｓｉｇｎａｌｌｉｎｇ  エーンティティ
２１３  Ｌ２ＣＡＰ部
【図１】
2004282584.tif 000003
【図２】
2004282584.tif 000004
【図３】
2004282584.tif 000005
【図４】
2004282584.tif 000006
【図５】
2004282584.tif 000007
【図６】
2004282584.tif 000008
【図７】
2004282584.tif 000009
【図８】
2004282584.tif 000010
【図９】
2004282584.tif 000011
【図１０】
2004282584.tif 000012
【図１１】
2004282584.tif 000013
【図１２】
2004282584.tif 000014